(57)【要約】【課題】景品カウンタが混雑することを防止することを課題とする。【解決手段】計数機１０では、成人認証情報が記録されたタバコ購入用記録媒体（たばこカード）を用いて、当該計数機１０に投入されるパチンコ玉の保有者である遊技客が成人であるか否かを認証し、遊技客が成人であると認証した場合に、成人のみを交換対象とした成人向け景品の交換を許可する交換許可情報を計数レシートに関連付けることで、景品カウンタに配設される景品管理装置２０側で交換許可情報に基づく成人向け景品の交換制御を行うことができるようにしている。【選択図】        図１
2009160137.tif 000002
【特許請求の範囲】
【請求項１】
計数機から出力される計数結果を計数記録媒体に関連付けて発行する計数記録媒体発行機であって、
成人認証情報が記録されたタバコ購入用記録媒体を用いて、前記計数機に投入される遊技媒体の保有者である遊技客が成人であるか否かを認証する成人認証手段と、
前記成人認証手段によって前記遊技客が成人であると認証された場合に、成人のみを交換対象とした成人向け景品の交換を許可する交換許可情報を前記計数記録媒体に関連付ける関連付け手段と
を備えたことを特徴とする計数記録媒体発行機。
【請求項２】
前記関連付け手段は、前記計数記録媒体に前記交換許可情報を表示させることにより前記交換許可情報の関連付けを行うことを特徴とする請求項１に記載の計数記録媒体発行機。
【請求項３】
前記成人認証手段によって前記遊技客が成人であると認証された場合に、前記計数機に設けられた遊技媒体の投入口を遮蔽するシャッタを開放するように制御するシャッタ制御手段をさらに備えたことを特徴とする請求項１または２に記載の計数記録媒体発行機。
【請求項４】
遊技客によって獲得された遊技媒体を計数し、該計数した計数結果を計数記録媒体に関連付けて発行する計数機であって、
成人認証情報が記録されたタバコ購入用記録媒体を用いて、当該計数機に受け入れる遊技媒体の保有者である遊技客が成人であるか否かを認証する成人認証手段と、
前記成人認証手段によって前記遊技客が成人であると認証された場合に、成人のみを交換対象とした成人向け景品の交換を許可する交換許可情報を前記計数記録媒体に関連付ける関連付け手段と
を備えたことを特徴とする計数機。
【請求項５】
遊技媒体の計数結果が関連付けられた計数記録媒体を通じて前記遊技媒体と所望の景品との交換制御を行う景品管理装置であって、
前記計数記録媒体に関連付けられた情報を取得する取得手段と、
前記取得手段によって取得された情報の中に成人のみを交換対象とした成人向け景品の交換を許可する交換許可情報が含まれているか否かを判定する判定手段と、
前記判定手段によって前記交換許可情報が含まれていると判定された場合に、前記成人向け景品への交換を可能にする制御手段と
を備えたことを特徴とする景品管理装置。
【請求項６】
前記制御手段は、前記判定手段によって前記交換許可情報が含まれていないと判定された場合であっても、前記計数記録媒体を持ち込んだ遊技客が成人である旨を示す情報の入力を受け付けたならば、前記成人向け景品への交換を可能にすることを特徴とする請求項５に記載の景品管理装置。
【請求項７】
計数機から出力される計数結果を計数記録媒体に関連付けて発行する計数記録媒体発行機と、前記計数記録媒体発行機によって発行された計数記録媒体を通じて遊技媒体と所望の景品との交換制御を行う景品管理装置とを有する景品交換システムであって、
前記計数記録媒体発行機は、
成人認証情報が記録されたタバコ購入用記録媒体を用いて、前記計数機に投入される遊技媒体の保有者である遊技客が成人であるか否かを認証する成人認証手段と、
前記成人認証手段によって前記遊技客が成人であると認証された場合に、成人のみを交換対象とした成人向け景品の交換を許可する交換許可情報を前記計数記録媒体に関連付ける関連付け手段とを備え、
前記景品管理装置は、
前記計数記録媒体に関連付けられた情報を取得する取得手段と、
前記取得手段によって取得された情報の中に前記交換許可情報が含まれているか否かを判定する判定手段と、
前記判定手段によって前記交換許可情報が含まれていると判定された場合に、前記成人向け景品への交換を可能にする制御手段とを備えた
ことを特徴とする景品交換システム。
【請求項８】
計数機から出力される計数結果を計数記録媒体に関連付けて発行する計数記録媒体の発行方法であって、
成人認証情報が記録されたタバコ購入用記録媒体を用いて、前記計数機に投入される遊技媒体の保有者である遊技客が成人であるか否かを認証する成人認証工程と、
前記成人認証工程によって前記遊技客が成人であると認証された場合に、成人のみを交換対象とした成人向け景品の交換を許可する交換許可情報を前記計数記録媒体に関連付ける関連付け工程と
を含んだことを特徴とする計数記録媒体の発行方法。
【請求項９】
遊技媒体の計数結果が関連付けられた計数記録媒体を通じて前記遊技媒体と所望の景品との交換制御を行う景品管理方法であって、
前記計数記録媒体に関連付けられた情報を取得する取得工程と、
前記取得工程によって取得された情報の中に成人のみを交換対象とした成人向け景品の交換を許可する交換許可情報が含まれているか否かを判定する判定工程と、
前記判定工程によって前記交換許可情報が含まれていると判定された場合に、前記成人向け景品への交換を可能にする制御工程と
を含んだことを特徴とする景品管理方法。
【発明の詳細な説明】
【技術分野】
【０００１】
本発明は、計数機から出力される計数結果を計数記録媒体に関連付けて発行する計数記録媒体発行機、計数機、景品管理装置、景品交換システム、計数記録媒体の発行方法及び景品管理方法に関する。
【背景技術】
【０００２】
従来より、パチンコ遊技やパチスロ遊技などを提供する遊技店では、景品カウンタにおいて、遊技客が遊技で獲得した獲得遊技媒体と引き換えに所望の景品を提供する景品交換サービスを行っている。このようにして、遊技店によって提供される「景品」には、食料、飲料、たばこ、日用品や装飾品などの「一般景品」や遊技店とは独立した景品買取場での買取りを前提とした「特殊景品」が存在する。
【０００３】
かかる景品交換サービスを実現するものとしては、計数記録媒体や会員記録媒体などの交換用記録媒体に関連付けられた遊技媒体数から指定景品との交換に必要な玉数（以下、「交換玉数」と言う）を減算し、この時、指定景品の種別が「一般景品」である場合には、当該指定景品の払出しを促す従業員報知を所定の表示部で行って従業員に景品を手渡しさせ、また、指定景品の種別が「特殊景品」である場合には、景品払出機を通じて特殊景品を払出す景品管理装置がよく知られている（例えば、特許文献１参照）。なお、これらの記録媒体としては、紙レシート（紙媒体）、ＩＣカード、磁気カード等の任意の記録媒体を用いることができる。
【０００４】
【特許文献１】特開２００２−３３１１４６号公報
【発明の開示】
【発明が解決しようとする課題】
【０００５】
ところで、将来においては、未成年者の喫煙防止をより強化する観点から自動販売機でタバコを購入する際には、成人の喫煙者に対してのみ発行されるたばこカードを用いた成人認証が必要となる。これに伴って、遊技店においては、景品カウンタでタバコ交換を行う際にたばこカードの提示を遊技客に強く求める営業が要求される動向にある。
【０００６】
しかしながら、景品カウンタでタバコ交換を行う場合にたばこカードを提示させていたのでは、遊技客がたばこカードを提示する動作、並びに、従業員がたばこカードを確認する動作が必要であるため、タバコ交換を行うために多くの時間を要することになり、景品カウンタが混雑してしまうという問題が生じる。
【０００７】
特に、夕方や閉店間際等の繁忙期には、景品カウンタに列を成すほどの遊技客が多く、このような状況下でタバコ交換に多くの時間を掛けていたのでは、景品交換業務全体が遅延し、遊技店が営業を正常に行うことができないおそれもある。
【０００８】
このことから、たばこカードを用いてタバコ交換を行う場合に、たばこカードの確認所要時間をいかにして低減するかが重要な課題となっている。
【０００９】
そこで、本発明は、上述した従来技術による課題（問題点）を解消するためになされたものであり、たばこカードの確認所要時間を低減し、もって景品カウンタが混雑することを防止することができる計数記録媒体発行機、計数機、景品管理装置、景品交換システム、計数記録媒体の発行方法及び景品管理方法を提供することを目的とする。
【課題を解決するための手段】
【００１０】
上述した課題を解決し、目的を達成するために、本発明に係る計数記録媒体発行機は、計数機から出力される計数結果を計数記録媒体に関連付けて発行する計数記録媒体発行機であって、成人認証情報が記録されたタバコ購入用記録媒体を用いて、前記計数機に投入される遊技媒体の保有者である遊技客が成人であるか否かを認証する成人認証手段と、前記成人認証手段によって前記遊技客が成人であると認証された場合に、成人のみを交換対象とした成人向け景品の交換を許可する交換許可情報を前記計数記録媒体に関連付ける関連付け手段とを備えたことを特徴とする。
【００１１】
また、本発明に係る計数記録媒体発行機は、前記関連付け手段は、前記計数記録媒体に前記交換許可情報を表示させることにより前記交換許可情報の関連付けを行うことを特徴とする。
【００１２】
また、本発明に係る計数記録媒体発行機は、前記成人認証手段によって前記遊技客が成人であると認証された場合に、前記計数機に設けられた遊技媒体の投入口を遮蔽するシャッタを開放するように制御するシャッタ制御手段をさらに備えたことを特徴とする。
【００１３】
また、本発明に係る計数機は、遊技客によって獲得された遊技媒体を計数し、該計数した計数結果を計数記録媒体に関連付けて発行する計数機であって、成人認証情報が記録されたタバコ購入用記録媒体を用いて、当該計数機に受け入れる遊技媒体の保有者である遊技客が成人であるか否かを認証する成人認証手段と、前記成人認証手段によって前記遊技客が成人であると認証された場合に、成人のみを交換対象とした成人向け景品の交換を許可する交換許可情報を前記計数記録媒体に関連付ける関連付け手段とを備えたことを特徴とする。
【００１４】
また、本発明に係る景品管理装置は、遊技媒体の計数結果が関連付けられた計数記録媒体を通じて前記遊技媒体と所望の景品との交換制御を行う景品管理装置であって、前記計数記録媒体に関連付けられた情報を取得する取得手段と、前記取得手段によって取得された情報の中に成人のみを交換対象とした成人向け景品の交換を許可する交換許可情報が含まれているか否かを判定する判定手段と、前記判定手段によって前記交換許可情報が含まれていると判定された場合に、前記成人向け景品への交換を可能にする制御手段とを備えたことを特徴とする。
【００１５】
また、本発明に係る景品管理装置は、前記制御手段は、前記判定手段によって前記交換許可情報が含まれていないと判定された場合であっても、前記計数記録媒体を持ち込んだ遊技客が成人である旨を示す情報の入力を受け付けたならば、前記成人向け景品への交換を可能にすることを特徴とする。
【００１６】
また、本発明に係る景品交換システムは、計数機から出力される計数結果を計数記録媒体に関連付けて発行する計数記録媒体発行機と、前記計数記録媒体発行機によって発行された計数記録媒体を通じて遊技媒体と所望の景品との交換制御を行う景品管理装置とを有する景品交換システムであって、前記計数記録媒体発行機は、成人認証情報が記録されたタバコ購入用記録媒体を用いて、前記計数機に投入される遊技媒体の保有者である遊技客が成人であるか否かを認証する成人認証手段と、前記成人認証手段によって前記遊技客が成人であると認証された場合に、成人のみを交換対象とした成人向け景品の交換を許可する交換許可情報を前記計数記録媒体に関連付ける関連付け手段とを備え、前記景品管理装置は、前記計数記録媒体に関連付けられた情報を取得する取得手段と、前記取得手段によって取得された情報の中に前記交換許可情報が含まれているか否かを判定する判定手段と、前記判定手段によって前記交換許可情報が含まれていると判定された場合に、前記成人向け景品への交換を可能にする制御手段とを備えたことを特徴とする。
【００１７】
また、本発明に係る計数記録媒体の発行方法は、計数機から出力される計数結果を計数記録媒体に関連付けて発行する計数記録媒体の発行方法であって、成人認証情報が記録されたタバコ購入用記録媒体を用いて、前記計数機に投入される遊技媒体の保有者である遊技客が成人であるか否かを認証する成人認証工程と、前記成人認証工程によって前記遊技客が成人であると認証された場合に、成人のみを交換対象とした成人向け景品の交換を許可する交換許可情報を前記計数記録媒体に関連付ける関連付け工程とを含んだことを特徴とする。
【００１８】
また、本発明に係る景品管理方法は、遊技媒体の計数結果が関連付けられた計数記録媒体を通じて前記遊技媒体と所望の景品との交換制御を行う景品管理方法であって、前記計数記録媒体に関連付けられた情報を取得する取得工程と、前記取得工程によって取得された情報の中に成人のみを交換対象とした成人向け景品の交換を許可する交換許可情報が含まれているか否かを判定する判定工程と、前記判定工程によって前記交換許可情報が含まれていると判定された場合に、前記成人向け景品への交換を可能にする制御工程とを含んだことを特徴とする。
【発明の効果】
【００１９】
本発明によれば、成人認証情報が記録されたタバコ購入用記録媒体を用いて、計数機に投入される遊技媒体の保有者である遊技客が成人であるか否かを認証し、遊技客が成人であると認証した場合に、成人のみを交換対象とした成人向け景品の交換を許可する交換許可情報を計数記録媒体に関連付けるように構成したので、景品カウンタに配設される景品管理装置側で交換許可情報に基づく成人向け景品の交換制御を行うことができる結果、景品カウンタにおいて遊技客にはたばこカードの提示動作を行わせる必要がなくなり、また、従業員にはたばこカードの目視確認動作を行わせる必要がなくなり、景品カウンタが混雑することを防止することが可能になるという効果を奏する。
【００２０】
また、本発明によれば、計数記録媒体に交換許可情報を表示させることにより交換許可情報の関連付けを行うように構成したので、遊技客をはじめ、景品交換業務を行う従業員も当該計数記録媒体を用いた成人向け景品の交換が可能である事実を一目で把握することができ、成人向け景品の交換を周知の環境下で行うことが可能になるという効果を奏する。
【００２１】
また、本発明によれば、遊技客が成人であると認証した場合に、計数機に設けられた遊技媒体の投入口を遮蔽するシャッタを開放するように制御するように構成したので、遊技客が成人向け景品を交換する意思があることを計数前の段階で検知することができ、例えば、遊技客が成人向け景品の交換遊技媒体数分だけ獲得遊技媒体を計数することを希望している場合にその交換遊技媒体数との過不足がなくなるように慎重に計数業務を行うことが可能になるという効果を奏する。
【００２２】
また、本発明によれば、成人認証情報が記録されたタバコ購入用記録媒体を用いて、当該計数機に受け入れる遊技媒体の保有者である遊技客が成人であるか否かを認証し、遊技客が成人であると認証した場合に、成人のみを交換対象とした成人向け景品の交換を許可する交換許可情報を計数記録媒体に関連付けるように構成したので、景品カウンタに配設される景品管理装置側で交換許可情報に基づく成人向け景品の交換制御を行うことができる結果、景品カウンタにおいて遊技客にはたばこカードの提示動作を行わせる必要がなくなり、また、従業員にはたばこカードの目視確認動作を行わせる必要がなくなり、景品カウンタが混雑することを防止することが可能になるという効果を奏する。
【００２３】
また、本発明によれば、計数記録媒体に関連付けられた情報を取得し、取得した情報の中に成人のみを交換対象とした成人向け景品の交換を許可する交換許可情報が含まれているか否かを判定し、交換許可情報が含まれていると判定した場合に、成人向け景品への交換を可能にするように構成したので、景品カウンタにおいて遊技客にたばこカードの提示動作を行わせずとも成人である遊技客にだけ成人向け景品を交換させることができ、景品カウンタの混雑を防止することが可能になるという効果が得られる。
【００２４】
また、本発明によれば、交換許可情報が含まれていないと判定した場合であっても、計数記録媒体を持ち込んだ遊技客が成人である旨を示す情報の入力を受け付けたならば、成人向け景品への交換を可能にするように構成したので、たとえば景品カウンタでのたばこカードの読み取りや係員の目視判別による手入力により、景品交換を行う遊技客が成人である事実が担保された場合には、計数時にたばこカードの提示を行わっていない遊技客であっても成人向け景品への交換を許容することができ、成人である遊技客全てに成人向け景品の交換を行わせることが可能になるという効果が得られる。
【００２５】
また、本発明によれば、計数記録媒体発行機が、成人認証情報が記録されたタバコ購入用記録媒体を用いて、計数機に投入される遊技媒体の保有者である遊技客が成人であるか否かを認証し、遊技客が成人であると認証した場合に、成人のみを交換対象とした成人向け景品の交換を許可する交換許可情報を計数記録媒体に関連付け、景品管理装置が、計数記録媒体に関連付けられた情報を取得し、取得した情報の中に交換許可情報が含まれているか否かを判定し、交換許可情報が含まれていると判定した場合に、成人向け景品への交換を可能にするように構成したので、景品カウンタにおいて遊技客にたばこカードの提示動作を行わせずとも成人である遊技客にだけ成人向け景品を交換させることができ、景品カウンタの混雑を防止することが可能になるという効果が得られる。
【発明を実施するための最良の形態】
【００２６】
以下に添付図面を参照して、本発明に係る計数記録媒体発行機、計数機、景品管理装置、景品交換システム、計数記録媒体の発行方法及び景品管理方法の好適な実施例を詳細に説明する。なお、以下では、本発明をパチンコ遊技に適用する場合について説明することとする。
【実施例１】
【００２７】
以下の実施例１では、本実施例１に係る計数機の概要および特徴、この計数機の構成および処理の流れ、そして、本実施例１に係る景品管理装置の構成および処理の流れの順に説明する。
【００２８】
［概要および特徴］
まず、本実施例１に係る計数機の概要および特徴を説明する。図１は、実施例１に係る計数機の概要および特徴を説明するための概念図である。同図に示すように、この計数機１０は、遊技客によって獲得されたパチンコ玉を計数し、該計数した計数結果（獲得玉数）を計数記録媒体（例えば、紙媒体からなる計数レシート）に関連付けて発行することを概要とし、このようにして計数レシートに関連付けられた獲得玉数は、景品カウンタに配設された景品管理装置２０によって遊技客が指定する景品に交換制御される。
【００２９】
ここで、本実施例１に係る計数機１０では、成人認証情報が記録されたタバコ購入用記録媒体（以下、「たばこカード」と言う）を用いて、当該計数機１０に投入されるパチンコ玉の保有者である遊技客が成人であるか否かを認証し、遊技客が成人であると認証した場合に、成人のみを交換対象とした成人向け景品の交換を許可する交換許可情報を計数レシートに関連付ける点にその特徴がある。
【００３０】
すなわち、この計数機１０では、景品カウンタで従業員にたばこカードを提示させる代わりに、当該計数機１０でたばこカードを使用させることによって景品カウンタでのたばこカードの提示を不要化することができるようにしている。
【００３１】
これを具体的に説明すると、図１に示すように、計数機１０では、図示しない投入口から遊技客の獲得玉を受け入れ、該受け入れた獲得玉を計数する一方で、後述するリーダライタ１６を通じてたばこカードから成人認証情報（例えば、生年月日等）を取得して当該獲得玉の保有者である遊技客が成人であるか否かを認証する。そして、少なくとも計数値（獲得玉数）を含む計数情報（この他、発行日時及び計数機番号等を含む）、加えて当該遊技客が成人であるとの認証結果を得た場合には、成人向け景品の交換許可情報を計数レシートに関連付ける。なお、本実施例１では、計数作業を一意に特定可能な識別子（以下、「計数ＩＤ」と言う）を採番し、このようにして採番した計数ＩＤを計数レシートに記録させる一方で、その計数ＩＤに計数値及び交換許可情報を対応付けて外部装置（本例では、景品管理装置２０）に記憶管理させる関連付けを例示することとする。
【００３２】
このように、遊技客が成人であるとの認証結果を得た場合に交換許可情報を計数レシートに関連付けておけば、景品管理装置２０側で交換許可情報が関連付けられている計数レシートの獲得玉だけに対して成人向け景品との交換を許可する交換制御を行わせることができる。なお、ここで言う「成人向け景品」は、タバコのみを指すのではなく、成人もしくは所定の年齢以上の者だけが所有を許されるべき景品（例えば、お酒や雑誌など）全般を指す。
【００３３】
したがって、本実施例１に係る計数機１０によれば、たばこカードを用いて、獲得玉の保有者である遊技客の成人認証を行い、当該遊技客が成人であると認証した場合に成人向け景品の交換許可情報を計数レシートに関連付けるように構成したので、景品カウンタに配設される景品管理装置側で交換許可情報に基づく成人向け景品の交換制御を行うことができる結果、景品カウンタにおいて遊技客にはたばこカードの提示動作を行わせる必要がなくなり、また、従業員にはたばこカードの目視確認動作を行わせる必要がなくなり、景品カウンタが混雑することを防止することが可能になる。
【００３４】
さらに、本実施例１に係る計数機１０によれば、獲得玉の保有者である遊技客に対してたばこカードを用いた成人認証を行うように構成したので、所定のＩＣカードリーダライタに対するたばこカードの近接操作を遊技客に行わせるだけでよく、従業員によるたばこカードの目視確認動作を不要化することができ、計数時におけるたばこカードの確認所要時間を短縮することが可能になる。
【００３５】
［計数機の構成］
続いて、本実施例１に係る計数機１０の構成について説明する。図２は、実施例１に係る計数機１０の構成を示す機能ブロック図である。同図に示すように、この計数機１０は、タッチパネル１１と、通信Ｉ／Ｆ部１２と、計時部１３と、シャッタ機構１４と、計数センサ１５と、リーダライタ１６と、印字部１７と、記憶部１８と、制御部１９とを有する。
【００３６】
タッチパネル１１は、液晶パネルやディスプレイなどの表示デバイス上で操作入力を受け付けることができる表示可能かつ入力可能な従業員用デバイスである。例えば、計数待機中には、従業員認証を行うために従業員カードのかざし操作を促す画面を表示したり、計数中には、現時点で計数し終えた獲得玉数を表示したり、また、計数後には、計数結果とともに計数レシートの発行ボタンを表示して計数レシートの発行操作を受け付けたりする。
【００３７】
通信Ｉ／Ｆ部１２は、当該計数機１０と他の装置（例えば、景品管理装置２０などの他の装置）との間で各種通信を行うためのインターフェースである。また、計時部１３は、時刻を計時する処理部であり、具体的には、後述する発行制御部１９ｃからの時刻問合せに応答してその問合せ時点における日時を応答する。
【００３８】
シャッタ機構１４は、獲得玉の投入口に開閉可能に設けられたシャッタの開閉駆動を行うシャッタ駆動モータ１４ａと、シャッタの開閉状態を検知する開閉検知部１４ｂとを有する。例えば、シャッタ機構１４は、シャッタを開放させる場合には、開閉検知部１４ｂによってシャッタが開状態であると検知されるまでシャッタ駆動モータ１４ａにシャッタを開駆動させ、計数終了後にシャッタを閉鎖する場合には、開閉検知部１４ｂによってシャッタが閉状態であると検知されるまでシャッタ駆動モータ１４ａにシャッタを閉駆動させる。
【００３９】
計数センサ１５は、遊技客又は従業員によって投入された獲得玉を計数するセンサである。具体的には、獲得玉の通過経路に設けられており、赤外線等の発光及びその反射光の受光を併せて行うことで獲得玉の通過を検知し、これらの通過数を計数制御部１９ｂにカウントアップさせる。
【００４０】
リーダライタ１６は、たばこカードや従業員カード等の各種ＩＣカードに内蔵されたＩＣチップとの間でデータ通信を行う装置であり、例えば、ＩＣカード内のＩＣチップに組み込まれたアンテナコイルに弱電波を送信すると、そのＩＣチップではアンテナコイルにより発電が行われてデータ通信が可能となり、これにより記録情報（例えば、成人認証情報や従業員ＩＤ等）を取得する。
【００４１】
印字部１７は、印刷データをレシートに印字処理する印字装置であり、発行制御部１９ｃによる発行制御に基づいて計数レシートを印字発行する。かかる計数レシートには、遊技店の名称、発行日時、計数機番号、計数値（獲得玉数）、そしてたばこカードを用いた成人認証でその所有者が成人であると認証された場合には発行制御部１９ｃの指示に基づき交換許可情報が文字情報として印字されるとともに、計数値、発行日時及び計数機番号を含む計数情報ならびに交換許可フラグと紐付けられた計数ＩＤがバーコードとして印字される。なお、本実施例１では、計数情報及び交換許可情報が対応付けられた計数ＩＤをバーコード印字することとしたが、計数情報及び交換許可情報等を表すデータ自体をバーコード印字するようにしてもかまわない。
【００４２】
記憶部１８は、制御部１９による各種処理に必要なデータおよびプログラムを記憶する不揮発性メモリ等の記憶デバイスであり、例えば、従業員認証時に従業員カードから読み取られた従業員ＩＤの比較対象として予め登録された登録従業員（計数業務を許可された従業員）の従業員ＩＤ１８ａと、計数レシートに印字する印字フォーマット１８ｂとを記憶する。
【００４３】
制御部１９は、計数機１０を全体制御する制御部であり、表示制御部１９ａと、計数制御部１９ｂと、成人認証処理部１９ｃと、発行制御部１９ｄとを有する。実際には、これらの機能部に対応するプログラムを図示しないＲＯＭや不揮発性メモリに記憶しておき、これらのプログラムをＣＰＵにロードして実行し、表示制御部１９ａ、計数制御部１９ｂ、成人認証処理部１９ｃ及び発行制御部１９ｄにそれぞれ対応するプロセスを実行させることになる。
【００４４】
表示制御部１９ａは、タッチパネル１１の表示制御を行う処理部である。例えば、計数待機中には、従業員認証を行うために従業員カードのかざし操作を促す画面を表示させ、計数中には、計数制御部１９ｂによって計数センサ１５からの通過信号がカウントアップされる度にタッチパネル１１に表示される獲得玉数の表示を更新していき、計数センサ１５からの通過信号が一定時間以上（例えば、３秒）について検出されなくなり計数が終了すると、計数レシートの発行ボタンをタッチパネル１１に表示させる。その一方で、計数前から計数レシートの発行ボタンの押下操作を受け付けるまでに、後述する成人認証処理部１９ｃによって獲得玉の保有者である遊技客が成人であると認証された場合には、その時点で成人向け景品の交換を許可する旨を他の表示に併せてタッチパネル１１に表示させる。
【００４５】
計数制御部１９ｂは、遊技客によって獲得されたパチンコ玉の計数制御を行う処理部である。具体的には、リーダライタ１６によって従業員カードから読み取られた従業員ＩＤが記憶部１８に登録された従業員ＩＤ１８ａと一致するか否かを照合する従業員認証を行い、その結果、予め登録された従業員ＩＤ１８ａと一致した場合には、獲得玉の投入口に開閉可能に設けられたシャッタを開放するようにシャッタ機構１４に要請してシャッタを開放させ、その後に、投入口から獲得玉が投入されると、計数センサ１５から獲得玉の通過信号が出力されるので、一定時間（例えば、３秒）についてかかる通過信号が検出されなくなるまでカウントアップを継続することで獲得玉の計数を行う。
【００４６】
成人認証処理部１９ｃは、たばこカードを用いた成人認証を行う処理部である。具体的には、リーダライタ１６を通じてたばこカードから成人認証情報、たとえばたばこカードの固有のＩＤを読み取って認証を行いＯＫであることを確認して、獲得玉の保有者である遊技客が成人であると認証する。
【００４７】
発行制御部１９ｄは、計数レシートの発行制御を行う処理部である。具体的には、当該計数ＩＤからバーコード情報を生成し、該生成したバーコード情報、計時部１３から取得した日時情報及び計数情報を印字部１７に出力するとともに、成人認証処理部１９ｃによって遊技客（獲得玉の保有者）が成人であると認証されていた場合には成人向け景品に交換可能である旨を印字内容に追加するように印字部１７に指示し、記憶部１８によって記憶された印字フォーマット１８ｂにしたがって計数レシートを印字部１７に印字発行させる。
【００４８】
また、発行制御部１９ｄは、計数レシートに交換許可情報又は交換不許可情報を関連付ける関連付け処理部１９ｅを内在する。この関連付け処理部１９ｅは、タッチパネル１１上に表示された計数レシートの発行ボタンの押下操作を受け付けた時点で成人認証処理部１９ｃによって遊技客（獲得玉の保有者）が成人であると認証されていた場合には、計数ＩＤに成人向け景品の交換許可情報（交換許可フラグのオン設定）及び計数情報を対応付けて景品管理装置２０に送信し、一方、成人認証処理部１９ｃによる成人認証が行われていなかった場合には、計数ＩＤに成人向け景品の交換不許可情報（交換許可フラグのオフ設定）及び計数情報を対応付けて景品管理装置２０に送信する。
【００４９】
なお、本実施例１では、成人向け景品の交換許可の可否を表す交換許可フラグのオン設定「○」又はオフ設定「×」を計数ＩＤに紐付けることにより成人向け景品の交換許可情報又は交換不許可情報のいずれかを両方のケースでそれぞれ排他的に関連付ける例を説明するが、少なくとも一方のケースで交換許可情報もしくは交換不許可情報のいずれかを関連付ければ景品管理装置２０側で成人遊技客だけに対して成人向け景品の交換制御を行わせることができる。
【００５０】
［処理の流れ］
次に、本実施例１に係る計数機１０による計数レシート発行処理について詳細に説明する。図３は、実施例１に係る計数レシート発行処理の手順を示すフローチャートである。同図に示すように、計数機１０は、当所計数待機状態にあり（ステップＳ３０１否定）、従業員が所持する従業員カードがリーダライタ１６近傍にかざされると（ステップＳ３０１肯定）、計数制御部１９ｂは、リーダライタ１６を通じて従業員カードから読み取られた従業員ＩＤが記憶部１８に登録された従業員ＩＤ１８ａと一致するか否かを照合する（ステップＳ３０２）。
【００５１】
このとき、従業員カードから読み取られた従業員ＩＤが予め登録された従業員ＩＤ１８ａと一致しない場合（ステップＳ３０２否定）には、表示制御部１９ａは、所定のカード（従業員カードやたばこカード）以外の不正なカードがかざし操作されたことやカードの読取ミスが原因で計数を行うことが不可能である旨をタッチパネル１１に表示し（ステップＳ３０３）、そのまま処理を終了する。
【００５２】
一方、従業員カードから読み取られた従業員ＩＤが予め登録された従業員ＩＤ１８ａと一致する場合（ステップＳ３０２肯定）には、計数制御部１９ｂは、シャッタ機構５５にシャッタを開放させ（ステップＳ３０４）、投入口から獲得玉が投入されると、計数センサ１５から獲得玉の通過信号が出力されるので、所定時間（例えば、３秒）についてかかる通過信号が検出されなくなるまでカウントアップを継続することで獲得玉の計数を行う（ステップＳ３０５）。なお、かかる計数中には、計数制御部１９ｂによって計数センサ１５からの通過信号がカウントアップされる度にタッチパネル１１に表示される獲得玉数の表示が更新される。
【００５３】
かかる獲得玉の計数終了後に、表示制御部１９ａは、計数結果とともに計数レシートの発行ボタンをタッチパネル１１に表示させ（ステップＳ３０６）、計数レシートの発行操作受付待機状態に移行する（ステップＳ３０７）。
【００５４】
ここで、成人認証処理部１９ｃによるたばこカードを用いた成人認証は、計数レシート発行処理とは独立した処理系統で行われており、図４に示すように、計数レシートの発行ボタンの押下操作を受け付けるまでは、従業員カードのかざし操作を受け付ける前、獲得玉の計数中、計数レシートの発行操作を受け付ける前のいずれのタイミングであってもたばこカードをリーダライタ１６にかざしさえすれば成人認証を行うことができる。
【００５５】
そして、計数レシートの発行ボタンの押下操作を受け付けるまでに、成人認証処理部１９ｃによって獲得玉の保有者である遊技客が成人であると認証されていた場合（ステップＳ３０７肯定かつステップＳ３０８肯定）には、関連付け処理部１９ｅは、計数ＩＤに成人向け景品の交換許可情報（交換許可フラグのオン設定）及び計数情報を対応付けて景品管理装置２０に送信する（ステップＳ３０９）。なお、景品管理装置２０では、受信した計数ＩＤ、計数情報及び交換許可情報を後述する計数レシート管理テーブル２６ａに登録する。
【００５６】
続いて、発行制御部１９ｄは、当該計数ＩＤからバーコード情報を生成し（ステップＳ３１０）、該生成したバーコード情報、計時部１３から取得した日時情報及び計数情報を印字部１７に出力するとともに、成人向け景品に交換可能である旨を印字内容に追加するように印字部１７に指示し（ステップＳ３１１）、記憶部１８によって記憶された印字フォーマット１８ｂにしたがって計数レシートを印字部１７に印字発行させ（ステップＳ３１２）、処理を終了する。例えば、この場合には、図５左側に図示した計数レシートが発行されるため、遊技客をはじめ、景品交換業務を行う従業員も当該計数レシートを用いた成人向け景品の交換が可能である事実を一目で把握することができる。
【００５７】
一方、計数レシートの発行ボタンの押下操作を受け付けるまでに、成人認証処理部１９ｃによる成人認証が行われていなかった場合（ステップＳ３０７肯定かつステップＳ３０８否定）には、関連付け処理部１９ｅは、計数ＩＤに成人向け景品の交換不許可情報（交換許可フラグのオフ設定）及び計数情報を対応付けて景品管理装置２０に送信する（ステップＳ３１３）。なお、景品管理装置２０では、受信した計数ＩＤ、計数情報及び交換不許可情報を後述する計数レシート管理テーブル２６ａに登録する。
【００５８】
そして、発行制御部１９ｄは、当該計数ＩＤからバーコード情報を生成し（ステップＳ３１４）、該生成したバーコード情報、計時部１３から取得した日時情報及び計数情報を印字部１７に出力して、記憶部１８によって記憶された印字フォーマット１８ｂにしたがって計数レシートを印字部１７に印字発行させ（ステップＳ３１２）、処理を終了する。例えば、この場合には、図５右側に図示した計数レシート（通常のレシート）が発行されるため、遊技客が成人向け景品と交換を希望する場合には、景品カウンタでたばこカードを提示する必要がある。
【００５９】
［景品管理装置の構成］
次に、本実施例１に係る計数機１０によって発行された計数レシートを用いた事後処理（交換許可フラグに基づく交換制御）を説明するために、図１に示した景品管理装置２０の構成及び処理の流れを説明する。
【００６０】
図６は、実施例１に係る景品管理装置２０の構成を示す機能ブロック図である。同図に示すように、この景品管理装置２０は、従業員用タッチパネル２１と、従業員用操作キー２２と、遊技客用タッチパネル２３と、通信Ｉ／Ｆ部２４と、レシート発行部２５と、記憶部２６と、制御部２７とを有する。なお、景品管理装置２０内の通信Ｉ／Ｆ部２４には、会員カード等の各種カードから記録情報を読み取るカードリーダ３１、及び、計数レシートからバーコード情報を読み取るバーコードリーダ３２に加え、特殊景品を払出す景品払出機３０が接続されている。
【００６１】
従業員用タッチパネル２１は、液晶パネルやディスプレイなどの表示デバイス上で操作入力を受け付けることができる表示可能かつ入力可能なデバイスであり、景品カウンタの内側に設置される従業員用デバイスである。例えば、計数レシートの受付時には、計数レシートの獲得玉数を表示したり、そして当該計数レシートに交換許可情報が関連付けられている場合（読取計数ＩＤに対応する交換許可フラグがオン状態である場合）には、成人向け景品に交換可能な旨をさらに表示したりする。
【００６２】
また、従業員用操作キー２２は、従業員が操作する一般景品や特殊景品等の各種景品の交換ボタン、テンキー等の総称である。なお、本実施例１では、景品管理装置２０に対する交換景品の指定を従業員に行わせることとしたが、必ずしも従業員に指定させる必要はなく、遊技客に指定させるようにしてもかまわない。
【００６３】
遊技客用タッチパネル２３は、従業員用タッチパネル２１と同様のデバイスであるが、景品カウンタの外側に設置される遊技客用のデバイスである。なお、本実施例１では、従業員用タッチパネル２１と同様の内容を表示させることとするが、必ずしも表示内容は同一である必要はない。
【００６４】
通信Ｉ／Ｆ部２４は、当該景品管理装置２０と他の装置（例えば、計数機５０又は景品払出機３０などの他の装置）との間で各種通信を行うためのインターフェースである。
【００６５】
レシート発行部２５は、各種情報を紙媒体に印字する処理部であり、例えば、景品管理装置２０にて景品交換処理された内容（例えば、交換日時、従業員名、総獲得玉数、交換景品及び交換玉数などの項目）を印字して交換レシートとして発行したり、また、遊技店の営業終了後には、景品の入出庫管理（例えば、景品出庫による粗益管理）に係る情報を締上げ票として発行したりする。
【００６６】
記憶部２６は、制御部２７による各種処理に必要なデータおよびプログラムを記憶する不揮発性メモリ等の記憶デバイスであり、交換レシート等に印字するフォーマット及びその印字内容等の情報の他、本発明に関連するものとして、計数レシートに関連付けられた情報を管理する計数レシート管理テーブル２６ａと、景品ごとにその景品との交換に要する交換玉数を管理する交換玉数管理テーブル２６ｂとを記憶する。
【００６７】
計数レシート管理テーブル２６ａは、図７に示すように、計数ＩＤごとに発行日時、号機番号、獲得玉数及び成人向け景品の交換許可情報を記憶したテーブルである。図７に示す例では、計数ＩＤ「０１０００１」の計数レシートは、号機番号「０１」の計数機で１７００個の獲得玉を発行日時「２００Ｘ／０８／Ｘ  １０：５８」に計数したものであることを示し、計数ＩＤ「０２０００１」の計数レシートは、号機番号「０２」の計数機で６４００個の獲得玉を発行日時「２００Ｘ／０８／Ｘ  １１：２１」に計数したものであることを示し、また、計数ＩＤ「０１００４８」の計数レシートは、号機番号「０１」の計数機で８０００個の獲得玉を発行日時「２００Ｘ／０８／Ｘ  １６：４７」に計数したものであることを示しており、これらの計数レシートの中では、計数ＩＤ「０１０００１」及び「０１００４８」の計数レシートについては成人向け遺品（例えば、タバコＣやビールＤ）に交換することができ、計数ＩＤ「０２０００１」の計数レシートについては成人向け景品に交換できないことを示している。
【００６８】
交換玉数管理テーブル２６ｂは、図８に示すように、景品マスタ、すなわち景品名ごとにその景品の交換玉数を記憶したテーブルである。図８に示す例では、菓子Ａを２５玉で交換し、ジュースＢを３０玉で交換し、タバコＣを７５玉で交換し、ビールＤを５５玉で交換するように規定されていることを示している。
【００６９】
制御部１７は、景品管理装置２０を全体制御する制御部であり、テーブルデータ更新部２７ａと、表示制御部２７ｂと、景品交換処理部２７ｃとを有する。実際には、これらの機能部に対応するプログラムを図示しないＲＯＭや不揮発性メモリに記憶しておき、これらのプログラムをＣＰＵにロードして実行し、テーブルデータ更新部２７ａ、表示制御部２７ｂ及び景品交換処理部２７ｃにそれぞれ対応するプロセスを実行させることになる。
【００７０】
テーブルデータ更新部２７ａは、計数レシート管理テーブル２６ａを更新する処理部である。具体的には、関連付け処理部１９ｅから受信した計数レシートに関する情報、すなわち計数情報及び交換許可フラグの設定情報（交換許可情報もしくは交換不許可情報）を計数レシート管理テーブル２６ａに登録する。
【００７１】
表示制御部２７ｂは、従業員用タッチパネル２１及び遊技客用タッチパネル２３の表示制御を行う処理部である。例えば、計数レシートの受付時には、計数レシートの獲得玉数を表示させたり、そして当該計数レシートに交換許可情報が関連付けられている場合（読取計数ＩＤに対応する交換許可フラグがオン状態である場合）には、成人向け景品に交換可能な旨を表示させたり、また、この計数レシートを交換制御が行われた時には、総獲得玉数、獲得玉の残数、交換景品や交換玉数等の項目を従業員用タッチパネル２１及び遊技客用タッチパネル２３に表示させたりする。
【００７２】
景品交換処理部２７ｃは、交換玉数管理テーブル２６ａを用いて獲得玉と景品との交換を管理する処理部である。具体的には、従業員によるバーコードリーダ３２の読取操作を通じて計数レシートから計数ＩＤが読み取られると、計数レシート管理テーブル２６ａから当該計数ＩＤに対応する計数情報（獲得玉数）及び成人向け景品の交換許可フラグを読み出し、遊技店の従業員により遊技客指定の景品に対応する交換ボタンが押下されると、当該指定景品に対応する交換玉数を獲得玉の残数から減算する。
【００７３】
［処理の流れ］
次に、本実施例１に係る景品管理装置２０による景品交換処理について詳細に説明する。図９は、実施例１に係る景品交換処理の手順を示すフローチャートである。同図に示すように、従業員によって遊技客が持ち込んだ計数レシートの読取操作が行われると（ステップＳ９０１肯定）、景品交換処理部２７ｃは、計数レシート管理テーブル２６ａを参照して、バーコードリーダ３２によって計数レシートから読み取られた計数ＩＤに対応する計数情報（獲得玉数）及び成人向け景品の交換許可フラグを読み出す（ステップＳ９０２及びステップＳ９０３）。
【００７４】
そして、従業員用操作キー２２を通じて従業員により遊技客指定の景品に対応する交換ボタンが押下されると（ステップＳ９０４肯定）、景品交換処理部２７ｃは、当該指定景品が成人向け景品であるか否かを判定する（ステップＳ９０５）。
【００７５】
このとき、指定景品が成人向け景品ではないと判定した場合（ステップＳ９０５否定）には、景品交換処理部２７ｃは、交換玉数管理テーブル２６ｂを参照して、総獲得玉数もしくは獲得玉の残数から当該指定景品の交換玉数を減算する（ステップＳ９０６）。
【００７６】
また、当該指定景品が成人向け景品であると判定した場合（ステップＳ９０５肯定）には、景品交換処理部２６ｃは、先に読み出しておいた成人向け景品の交換許可フラグがオン状態であるか否かを確認する（ステップＳ９０７）。
【００７７】
ここで、交換許可フラグがオン状態である場合（ステップＳ９０７肯定）には、景品交換処理部２７ｃは、交換玉数管理テーブル２６ｂを参照して、総獲得玉数もしくは獲得玉の残数から当該成人向け景品の交換玉数を減算する（ステップＳ９０６）。
【００７８】
一方、交換許可フラグがオフ状態である場合（ステップＳ９０７否定）には、表示制御部１９ｂは、たばこカードの提示を要する旨を従業員用タッチパネル２１及び遊技客用タッチパネル２３に表示させる（ステップＳ９０８）。
【００７９】
このとき、従業員用タッチパネル２１もしくは従業員用操作キー２２を通じて、交換許可フラグをオン状態に設定変更する操作を受け付けた場合（ステップＳ９０９肯定）には、景品交換処理部２７ｃは、交換玉数管理テーブル２６ｂを参照して、総獲得玉数もしくは獲得玉の残数から当該成人向け景品の交換玉数を減算する（ステップＳ９０６）。成人認証を行うには別の方法もあり、例えば、景品管理装置２０にたばこカード用或いはＩＣ免許証用のリーダライタ（図示せず）を接続し、遊技客が自身のたばこカード或いはＩＣ免許証をかざすことでリーダライタが認証し、認証結果がＯＫであれば、成人向け景品の交換を許可するようにしてもよい。
【００８０】
その後、獲得玉の残数がなくなるまで（ステップＳ９１０肯定）、景品交換処理部２７ｃは、上記したステップＳ９０４〜ステップＳ９０９の処理を繰り返し行い、獲得玉の残数がなくなると（ステップＳ９１０否定）、交換日時、従業員名、総獲得玉数、交換景品及び交換玉数などの項目が印字された景品レシートを発行するようにレシート発行部１５に要請し（ステップＳ９１１）、処理を終了する。なお、成人向け景品の交換許可フラグは、ステップＳ９０７時に（ステップＳ９０３を実行しないで）読み出すようにしてもよい。
【００８１】
上述してきたように、本実施例１では、たばこカードを用いて、獲得玉の保有者である遊技客が成人であるか否かを認証し、遊技客が成人であると認証した場合に、成人のみを交換対象とした成人向け景品の交換を許可する交換許可情報を計数レシートに関連付けるように計数機１０を構成したので、景品カウンタに配設される景品管理装置側で交換許可情報に基づく成人向け景品の交換制御を行うことができる結果、景品カウンタにおいて遊技客にはたばこカードの提示動作を行わせる必要がなくなり、また、従業員にはたばこカードの目視確認動作を行わせる必要がなくなり、景品カウンタが混雑することを防止することが可能である。
【００８２】
さらに、本実施例１では、計数レシートに交換許可情報を表示させることにより交換許可情報の関連付けを行うように計数機１０を構成したので、遊技客をはじめ、景品交換業務を行う従業員も当該計数レシートを用いた成人向け景品の交換が可能である事実を一目で把握することができ、成人向け景品の交換を周知の環境下で行うことが可能である。
【００８３】
また、本実施例１では、計数レシートに関連付けられた情報を取得し、取得した情報の中に成人のみを交換対象とした成人向け景品の交換を許可する交換許可情報が含まれているか否かを判定し、交換許可情報が含まれていると判定した場合に、成人向け景品への交換を可能にするように景品管理装置２０を構成したので、景品カウンタにおいて遊技客にたばこカードの提示動作を行わせずとも成人である遊技客にだけ成人向け景品を交換させることができ、景品カウンタの混雑を防止することが可能である。
【００８４】
さらに、本実施例１では、交換許可情報が含まれていないと判定した場合であっても、計数レシートを持ち込んだ遊技客が成人である旨を示す情報の入力を受け付けたならば、成人向け景品への交換を可能にするように景品管理装置２０を構成したので、たとえば景品カウンタでのたばこカードの読み取りや係員の目視判別による手入力により、景品交換を行う遊技客が成人である事実が担保された場合には、計数時にたばこカードの提示を行わっていない遊技客であっても成人向け景品への交換を許容することができ、成人である遊技客全てに成人向け景品の交換を行わせることが可能である。
【実施例２】
【００８５】
さて、これまで本発明の実施例について説明したが、本発明は上述した実施例以外にも、種々の異なる形態にて実施されてよいものである。そこで、以下では、本発明に含まれる他の実施例を説明する。
【００８６】
例えば、本発明では、成人認証処理部１９ｃによって遊技客が成人であると認証された場合に、獲得玉の投入口を遮蔽するシャッタを開放させるようにしてもよい。すなわち、これによって、遊技客が成人向け景品を交換する意思があることを計数前の段階で検知することができ、例えば、遊技客が成人向け景品の交換玉数分だけ獲得玉を計数することを希望している場合にその交換玉数との過不足がなくなるように慎重に計数業務を行うことができる。また、成人向け景品の指定もしくはその交換玉数の指定を受け付け、獲得玉の投入個数にかかわらず、交換玉数分だけを自動的に計数し、余り玉については返却するようにしてもかまない。
【００８７】
また、上記した実施例１では、計数レシートに成人向け景品の交換許可情報が関連付けられていなければ、景品カウンタで成人向け景品の指定を受け付けてもたばこカードによる成人認証を促す報知を行うこととしたが、景品交換業務をより迅速に進める観点から、成人向け景品に対応する交換ボタンを無効化するようにしてもかまわない。
【００８８】
なお、上記した実施例１では、成人向け景品の交換許可情報を計数レシートに関連付ける例を説明したが、必ずしも計数記録媒体に関連付ける必要はなく、会員用記憶媒体（例えば、会員カードや遊技客の携帯端末等）に交換許可情報を関連付けるように計数機１０を構成すれば、計数記録媒体を不要化することができ、さらに、未成年者が成年に達した場合に会員情報に交換許可情報を登録させるようにしてもよい。
【００８９】
また、上記した実施例１では、成人認証用記録媒体としてたばこカードを使用させる場合を説明したが、必ずしもたばこカードである必要はなく、免許証などの他の成人認証用記録媒体が使用される場合にも本発明を同様に適用することができる。
【００９０】
なお、本実施例１では、計数レシート（紙媒体）を計数記録媒体として発行する例を説明したが、ＩＣカード、磁気カード等の任意の記録媒体を用いる場合にも本発明を同様に適用することができる。
【００９１】
また、上記した実施例１及び２では、パチンコ玉を計数する計数機能と、計数レシートを発行するレシート発行機能との両方を計数機が有する例を説明したが、本発明はこれに限定されるものではなく、これら両者の機能をそれぞれ別体、すなわち計数機能を有する計数機と、計数レシート発行機能を有する計数レシート発行機として構成した計数レシート発行システムにも本発明を同様に適用することができる。
【００９２】
また、上記した実施例１では、本発明をパチンコ遊技に適用する例を説明したが、パチスロ遊技を対象としてさらに含めた場合又はパチスロ遊技のみを対象とした場合にも本発明を同様に適用することができる。なお、ここでは、パチンコ店及びパチスロ店に本発明を適用する例を説明したが、本発明はこれに限定されるものではなく、ゲームセンタ等の遊技施設にも同様に適用することができる。
【００９３】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００９４】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【産業上の利用可能性】
【００９５】
以上のように、本発明に係る計数記録媒体発行機、計数機、景品管理装置、景品交換システム、計数記録媒体の発行方法及び景品管理方法は、景品カウンタが混雑することを防止する場合に適している。
【図面の簡単な説明】
【００９６】
【図１】実施例１に係る計数機の概要および特徴を説明するための概念図である。
【図２】実施例１に係る計数機１０の構成を示す機能ブロック図である。
【図３】実施例１に係る計数レシート発行処理の手順を示すフローチャートである。
【図４】たばこカードのかざし操作を受け付けるタイミングを説明するための説明図である。
【図５】計数レシートの一例を示す図である。
【図６】実施例１に係る景品管理装置２０の構成を示す機能ブロック図である。
【図７】計数レシート管理テーブル２６ａに記憶される情報の構成例を示す図である。
【図８】交換玉数管理テーブル２６ｂに記憶される情報の構成例を示す図である。
【図９】実施例１に係る景品交換処理の手順を示すフローチャートである。
【符号の説明】
【００９７】
１０    計数機
１１    タッチパネル
１２    通信Ｉ／Ｆ部
１３    計時部
１４    シャッタ機構
１４ａ  シャッタ駆動モータ
１４ｂ  開閉検知部
１５    計数センサ
１６    リーダライタ
１７    印字部
１８    記憶部
１９    制御部
１９ａ  表示制御部
１９ｂ  計数制御部
１９ｃ  成人認証処理部
１９ｄ  発行制御部
１９ｅ  関連付け処理部
２０    景品管理装置
２１    従業員用タッチパネル
２２    従業員用操作キー
２３    遊技客用タッチパネル
２４    通信Ｉ／Ｆ部
２５    レシート発光部
２６    記憶部
２６ａ  計数レシート管理テーブル
２６ｂ  交換玉数管理テーブル
２７    制御部
２７ａ  テーブルデータ更新部
２７ｂ  表示制御部
２７ｃ  景品交換処理部
３０    景品払出機
３１    カードリーダ
３２    バーコードリーダ
【図１】
2009160137.tif 000003
【図２】
2009160137.tif 000004
【図３】
2009160137.tif 000005
【図４】
2009160137.tif 000006
【図５】
2009160137.tif 000007
【図６】
2009160137.tif 000008
【図７】
2009160137.tif 000009
【図８】
2009160137.tif 000010
【図９】
2009160137.tif 000011